(57)【要約】【課題】ずい道等の構造物のコンクリート壁面の漏水部に漏水受板を取り付けて漏水部からの漏水を導水処理する導水装置において、導水路の内部を長期間に亘って、漏水受板を取り外すことなく外部から容易に目視観察可能とする。【解決手段】漏水受部７の両側に取付端部９，９を設ける。漏水受部７の幅方向中央部分を透明部１９として形成する。透明部１９の内面２５の長手中央線に沿って中央の遮水突条２７を突設する。中央の遮水突条２７は、コンクリート壁面３と漏水受部７との間に形成される導水路４を左右に分割する。【選択図】図２
2008019705.tif 000002
【特許請求の範囲】
【請求項１】
漏水受部の両側に、構造物のコンクリート壁面に取り付く取付端部が設けられてなり、該漏水受部と該壁面との間で該壁面からの漏水を受ける導水路を形成する透明部を有する漏水受板であって、該漏水受部の少なくとも幅方向中央部分が、該漏水受部の長手方向に延長し且つ前記導水路の内部を目視観察可能とする透明部として形成されると共に、該透明部の前記壁面に臨む内表面の幅方向の中間部に、該透明部の長さ方向に延長する中央の遮水突条が連続状態に突設され、前記導水路の底面をなす流下面で受けられた前記漏水の水位が該中央の遮水突条の上端を超えないことを特徴とする透明部を有する漏水受板。
【請求項２】
漏水受部の両側に、構造物のコンクリート壁面に取り付く取付端部が設けられてなり、該漏水受部と該壁面との間で該壁面からの漏水を受ける導水路を形成する透明部を有する漏水受板であって、該漏水受部の少なくとも幅方向中央部分が、該漏水受部の長手方向に延長し且つ前記導水路の内部を目視観察可能とする透明部として形成されると共に、該透明部の前記壁面に臨む内表面の長手中央線に沿って中央の遮水突条が連続状態に突設され、前記導水路の底面をなす流下面で受けられた前記漏水の水位が該中央の遮水突条の上端を超えないことを特徴とする透明部を有する漏水受板。
【請求項３】
漏水受部の両側に、構造物のコンクリート壁面に取り付く取付端部が設けられてなり、該漏水受部と該壁面との間で該壁面からの漏水を受ける導水路を形成する透明部を有する漏水受板であって、該漏水受部の少なくとも幅方向中央部分が、該漏水受部の長手方向に延長し且つ前記導水路の内部を目視観察可能とする透明部として形成されると共に、該透明部の前記壁面に臨む内表面の、長手中央線の両側に所要間隔を隔てて２本の中央の遮水突条が平行して連続状態に突設され、前記導水路の底面をなす流下面で受けられた前記漏水の水位が該中央の遮水突条の上端を超えないことを特徴とする透明部を有する漏水受板。
【請求項４】
前記透明部の前記壁面に臨む内表面の両側縁部に沿って側部の遮水突条が連続状態に突設され、前記導水路の底面をなす流下面で受けられた前記漏水の水位が該側部の遮水突条の上端を超えないことを特徴とする請求項１、２又は３記載の透明部を有する漏水受板。
【請求項５】
漏水受部の両側に、構造物のコンクリート壁面に取り付く取付端部が設けられてなり、該漏水受部と該壁面との間で該壁面からの漏水を受ける導水路を形成する透明部を有する漏水受板であって、該漏水受部の少なくとも幅方向中央部分が、該漏水受部の長手方向に延長し且つ前記導水路の内部を目視観察可能とする透明部として形成されると共に、該透明部の、前記壁面に臨む内表面の両側縁部に沿って側部の遮水突条が連続状態に突設され、前記導水路の底面をなす流下面で受けられた前記漏水の水位が該側部の遮水突条の上端を超えないことを特徴とする透明部を有する漏水受板。
【請求項６】
前記透明部の幅は、前記漏水受部の幅の２〜８割に設定され、該透明部の両側に存する部分が不透明部として形成されていることを特徴とする請求項１〜５の何れかに記載の透明部を有する漏水受板。
【請求項７】
前記透明部の幅は、前記漏水受部の幅の３〜７割に設定され、該透明部の両側に存する部分が不透明部として形成されていることを特徴とする請求項１〜５の何れかに記載の透明部を有する漏水受板。
【請求項８】
前記中央の遮水突条は透明に形成されていることを特徴とする請求項１〜４の何れかに記載の透明部を有する漏水受板。
【請求項９】
前記漏水受部の全体が透明部として形成されていることを特徴とする請求項１〜５の何れかに記載の透明部を有する漏水受板。
【請求項１０】
前記漏水受部の両側に前記取付端部が設けられてなる漏水受板本体は、全体が透明な硬質合成樹脂を用いて構成されており、前記漏水受部は、その幅方向の中央部分が透明のまま残されて前記透明部とされると共に該透明部の両側に存する部分は、その外表面及び／又は内表面が不透明に塗装されることによって不透明部とされていることを特徴とする請求項１〜５の何れかに記載の透明部を有する漏水受板。
【請求項１１】
前記不透明部は、前記取付端部を除いて形成されていることを特徴とする請求項６、７又は１０記載の透明部を有する漏水受板。
【発明の詳細な説明】
【技術分野】
【０００１】
本発明は、ずい道や地下道、地下室等の構造物のコンクリート壁面に取り付けられることにより該壁面との間で導水路を形成する、透明部を有する漏水受板に関するものである。より詳しくは、コンクリート壁面の漏水部からの漏水を受けてこれを導水処理する導水路の詰まり状態や、漏水部の拡大状態、漏水部の漏水量、壁面の剥落の進行状態等の導水路の内部状態を、漏水受板を取り外すことなく外部から容易に目視観察でき、しかも長期間に亘って目視観察可能とする透明部を有する漏水受板に関するものである。
【背景技術】
【０００２】
ずい道や地下道、地下室等の構造物のコンクリート壁面の漏水部からの漏水を受けてこれを排水処理する手段の一つとして、実開昭６１−１２１３００号公報等が開示する導水装置が提案されている。
【０００３】
該導水装置は、図２４に示すように、構造物のコンクリート壁面ａに所要間隔を置いて平行状態に固定される保持具ｂと、その幅方向の両側に設けられた挿入溝ｃ，ｃに端縁部分ｄが挿入される漏水受板ｅとを具えている。該保持具ｂは、その一面に設けられた止水材ｆが前記壁面ａに当接せしめられた状態で、該壁面ａに打ち込まれたアンカーボルトｇとこれに螺合するナットｈとを用いて該壁面ａに固定される。そして、隣り合う保持具ｂ，ｂの対向する挿入溝ｃ，ｃに、前記漏水受板ｅの両端縁部分ｄ，ｄを挿入することにより、該漏水受板ｅと前記壁面ａとの間で導水路ｊを形成し、該壁面ａの漏水部ｋからの漏水を該導水路ｊにより排水溝に導水するものであった。
【０００４】
かかる導水装置にあっては、該壁面ａの漏水部ｋで成長した遊離石灰の塊や該壁面ａの一部分で剥落して落下した剥落片等によって導水路ｊに詰まり状態が発生して導水路ｊの導水機能が低下しやすい問題があった。
【０００５】
このような導水路の詰まり状態等を点検するために、漏水受板の一部分を取り外して導水路を部分的に点検することが行われていたが、その取り外しや取り外した後における復旧工事が大掛かりとなって施工コストの上昇を招く問題があったばかりか、あくまでも部分的な点検であって導水路の全体を確実に点検することができない不完全な点検にならざるを得ない問題があった。
【０００６】
そこでかかる問題点を解決せんとして、前記漏水受板を透光性を有する材料によって形成した導水装置が特開２００２−４７９００号公報によって提案されている。該導水装置によるときは、漏水受板が透明であるために、導水路の詰まり状態等の点検を、漏水受板や断熱板を取り外すことなく容易に行い得る利点があった。
【０００７】
しかしながら該導水装置にあっては、前記漏水受板の、前記壁面に臨む内表面が平滑面に形成されていたことから、該漏水受板が前記壁面の漏水部からの漏水を受けてこれを導水する際、受けられた漏水が該漏水受板の流下面を自由に流下することになる。その結果、該流下する水に含まれている遊離石灰や鉄分等の不純物が該流下面に付着していくことにより、前記漏水受板全体の透明度が劣化して詰まり状態等の確認が困難となる問題があった。このような不純物の付着は、前記漏水部からの漏水が雪解け時や梅雨時には生じても真夏には生じにくい等により導水路の流下面に漏水が流れる状態と該流下面が乾燥した状態を繰り返す場合は特に多くなるため、かかるときは前記漏水受板全体の透明度の劣化が比較的短期間の内に進行し易かった。
【０００８】
又、該導水装置にあっては、前記漏水受板の全体が透明に形成されていたため、該漏水受板の側部分で成長した遊離石灰の塊や該側部分に落下している剥落片をもが該透明な漏水受板を通して見えることになり、美観を損なう問題があった他、該漏水受板の中央部分の剥落片だけならまだしも該側部分の剥落片をも含めた多くの剥落片が下から見えることは、これらの剥落片が落下してくるような不安感を与えやすく好ましいものでなかった。  
【０００９】
【特許文献１】実開昭６１−１２１３００号公報（第２−４頁、図２）
【特許文献２】特開２００２−４７９００号公報（第６頁、図１）
【発明の開示】
【発明が解決しようとする課題】
【００１０】
本発明は、前記従来の問題点に鑑みて開発されたものであり、漏水受板の良好な透明度を極力長く維持できるようにして、導水路の詰まり状態や、漏水部の拡大状態、漏水部の漏水量、壁面の剥落状態等の導水路の内部状態を、漏水受板を取り外すことなく長期間に亘って外部から容易に目視観察可能とした、透明部を有する漏水受板の提供を課題とするものである。更に進んで、導水路内に遊離石灰の塊や剥落片が存する場合においても導水路の美観を極力損なわないだけでなく、これらの塊や剥落片が落下してくるような不安感を緩和できる漏水受板の提供を課題とするものである。
【課題を解決するための手段】
【００１１】
前記課題を解決するため本発明は以下の手段を採用する。
即ち本発明に係る透明部を有する漏水受板の第１の態様は、漏水受部の両側に、構造物のコンクリート壁面に取り付く取付端部が設けられてなり、該漏水受部と該壁面との間で該壁面からの漏水を受ける導水路を形成する漏水受板であって、該漏水受部の少なくとも幅方向中央部分が、該漏水受部の長手方向に延長し且つ前記導水路の内部を目視観察可能とする透明部として形成されている。そして、該透明部の前記壁面に臨む内表面の幅方向の中間部に、該透明部の長さ方向に延長する中央の遮水突条が連続状態に突設され、前記導水路の底面をなす流下面で受けられた前記漏水の水位が該中央の遮水突条の上端を超えないことを特徴とするものである。
【００１２】
本発明に係る漏水受板の第２の態様は、漏水受部の両側に、構造物のコンクリート壁面に取り付く取付端部が設けられてなり、該漏水受部と該壁面との間で該壁面からの漏水を受ける導水路を形成する漏水受板であって、該漏水受部の少なくとも幅方向中央部分が、該漏水受部の長手方向に延長し且つ前記導水路の内部を目視観察可能とする透明部として形成されている。そして、該透明部の前記壁面に臨む内表面の長手中央線に沿って中央の遮水突条が連続状態に突設され、前記導水路の底面をなす流下面で受けられた前記漏水の水位が該中央の遮水突条の上端を超えないことを特徴とするものである。
【００１３】
本発明に係る漏水受板の第３の態様は、漏水受部の両側に、構造物のコンクリート壁面に取り付く取付端部が設けられてなり、該漏水受部と該壁面との間で該壁面からの漏水を受ける導水路を形成する漏水受板であって、該漏水受部の少なくとも幅方向中央部分が、該漏水受部の長手方向に延長し且つ前記導水路の内部を目視観察可能とする透明部として形成されている。そして、該透明部の前記壁面に臨む内表面の、長手中央線の両側に所要間隔を隔てて２本の中央の遮水突条が平行して連続状態に突設され、前記導水路の底面をなす流下面で受けられた前記漏水の水位が該中央の遮水突条の上端を超えないことを特徴とするものであ。
【００１４】
本発明に係る漏水受板の第４の態様は、前記第１、第２、第３の態様に係る漏水受板において、前記透明部の前記壁面に臨む内表面の両側縁部に沿って側部の遮水突条を連続状態に突設し、前記導水路の底面をなす流下面で受けられた前記漏水の水位が該側部の遮水突条の上端を超えないように構成するのがよい。
【００１５】
本発明に係る漏水受板の第５の態様は、漏水受部の両側に、構造物のコンクリート壁面に取り付く取付端部が設けられてなり、該漏水受部と該壁面との間で該壁面からの漏水を受ける導水路を形成する漏水受板であって、該漏水受部の少なくとも幅方向中央部分が、該漏水受部の長手方向に延長し且つ前記導水路の内部を目視観察可能とする透明部として形成されている。そして、該透明部の、前記壁面に臨む内表面の両側縁部に沿って側部の遮水突条が連続状態に突設され、前記導水路の底面をなす流下面で受けられた前記漏水の水位が該側部の遮水突条の上端を超えないことを特徴とするものである。
【００１６】
前記第１〜第５の態様に係る漏水受板において、前記透明部の幅を、前記漏水受部の幅の２〜８割に設定し、該透明部の両側に存する部分を不透明部として形成するのがよい。より好ましくは、該透明部の幅を、前記漏水受部の幅の３〜７割に設定し、該透明部の両側に存する部分を不透明部として形成するのがよい。
【００１７】
前記第１〜第４の態様に係る漏水受板において、前記中央の遮水突条は透明に形成するのがよい。又該各漏水受板において、前記漏水受部の全体を透明部として形成することもある。
【００１８】
前記第１〜第５の態様に係る漏水受板において、前記漏水受部の両側に前記取付端部が設けられてなる漏水受板本体を、全体が透明な硬質合成樹脂を用いて構成されたものとし、前記漏水受部は、その幅方向の中央部分を透明のまま残して前記透明部とすると共に該透明部の両側に存する部分は、その外表面及び／又は内表面を不透明に塗装することによって不透明部とすることもできる。
【００１９】
前記不透明部は、前記取付端部を除いて形成してよい。特に、不透明に塗装することによって不透明部を形成するときは、漏水受板の製造コストの低減を期し得る。
【発明の効果】
【００２０】
本発明は以下の如き優れた効果を奏する。
(1) 本発明に係る漏水受板は、漏水受部の少なくとも幅方向中央部分が、該漏水受部の長手方向に延長する透明部として形成されると共に、該漏水受部の内表面に中央の遮水突条や側部の遮水突条が設けられているため、構造物のコンクリート壁面に該漏水受板が取り付けられて導水路が形成された状態で、該導水路を複数の分割水路に分割できることになる。
【００２１】
その結果、本発明によるときは、該漏水受板を取り外すことなく、該透明部を透視して導水路の内部を外部から目視観察でき、漏水部における遊離石灰の成長状態や壁面の剥落状態、導水路の詰まり状態、漏水部の漏水状態、漏水部の拡大状態等の導水路の内部状態に応じて必要な処置を施すことができる。
【００２２】
そして、前記漏水受部に設けられている前記中央の遮水突条や側部の遮水突条によって、前記導水路が複数の分割水路に分割されることになるので、特定の分割水路に流入した漏水が他の分割水路に移動するのが阻止され、流下する漏水に含まれている遊離石灰や鉄分等の不純物によって透明部の全体が一様に汚れるのを防止できる。かかることから、導水路の内部を目視観察するために必要な透明度を、部分的なものとはなっても、極力長く維持させ得ることとなる。
【００２３】
(2) 前記透明部の幅を、前記漏水受部の幅方向中央部分に止め、該透明部の両側に存する部分を不透明部に構成する場合は、前記壁面の漏水部で成長した遊離石灰の塊や該壁面で剥落した剥落片等が導水路に存していても、該導水路の両側部分に存するものは目視され難い状態となる。これによって、ずい道や地下道等の構造物の美観を極力損なわないようになし得るだけでなく、これらの塊や剥落片が落下してくるような不安感を緩和できる。
【実施例１】
【００２４】
図１〜２において本発明に係る漏水受板１は、ずい道や地下道、地下室等の構造物２（例えばずい道２ａ）のコンクリート壁面３に取り付けられて導水路４を形成でき、該壁面３の漏水部５からの漏水を受けてこれを排水溝等の排水設備６に導水処理するものであり、漏水受部７の両側に、前記壁面３に取り付く取付端部９，９が設けられており、全体が、例えば塩化ビニルやＡＢＳ樹脂、ポリエチレン樹脂等の硬質合成樹脂（本実施例では塩化ビニル）を以て押出成型されている。
【００２５】
該漏水受板１は、本実施例においては図２〜４に示すように、全体が２ｍｍ程度の肉厚で一体に成形された漏水受板本体８を有しており、該漏水受板本体８は、樋状をなす前記漏水受部７の両側に断面コ字状を呈する前記取付端部９，９が連設されている。該取付端部９は、前記漏水受部７の側端縁１０，１０で側方に向け突出する基片１１の両側縁に外の保持片１２と内の保持片１３が突設されることにより全体として断面コ字状を呈し、該内外の保持片１２，１３間に、止水材１５を付設するための溝状凹部１６が形成されている。そして該基片１１には、例えば５００ｍｍ間隔で挿通孔１７が並設されている。
【００２６】
そして前記漏水受部７は、その幅方向中央部分の、該漏水受部７の幅に対する２割幅以上の部分が、透明な硬質合成樹脂を以って、該漏水受部７の長さ方向に延長する透明部１９として形成されており、該透明部１９の両側に存する部分（以下両側部分ともいう）は、不透明な硬質合成樹脂を以って、不透明部２０，２０に形成されている。本実施例においては、該漏水受部７の幅が３００ｍｍに設定され該透明部１９の幅は１００ｍｍに設定されており、該漏水受部７の幅に対する透明部１９の幅は３割３分程度とされている。
【００２７】
本実施例において透明部１９をかかる割合で設けているのは次の理由による。即ち、透明部１９は後述のように導水路４の内部を外部から目視観察するためのものであり、又該漏水受板１は、図５に示すように、その漏水受部７が前記漏水部５の多くの部分を覆うように壁面３に取り付けられるものであることからすれば、通常は、漏水受部７の幅方向中央部分を透視して導水路４の内部を観察すれば必要な保守管理を行い得るものである。かかることから本実施例においては、漏水受部７の両側部分を不透明部２０，２０として該漏水受部７の幅方向中央部分のみを透明部１９とし、外部から見たときに図６に示すような、漏水部５で成長した遊離石灰の塊２２や漏水部周辺での剥落片２３が、導水路４の内部の全体に亘って見えてしまうのを防止し、透明部１９を設けることに伴う導水路４部分の美観損傷が極力生じないようになし、又、導水路４の内部の遊離石灰の塊２２や剥落片２３が落下してくるような不安感を緩和するのである。
【００２８】
なお本実施例においては、前記透明部１９の内表面２５と外表面２６に汚れが付着しにくくするために、又、該透明部１９の外表面２６に付着した汚れ（ずい道等の内部で発生した埃や排気ガス等による汚れ）を拭き取りやすくするために、該透明部１９の内表面２５及び外表面２６にフッ素樹脂やシリコン樹脂等の撥水性樹脂を塗布することによって撥水表面処理を施している。
【００２９】
又前記透明部１９の、前記壁面３に臨む内表面２５の長手中央線に沿って、該内表面２５と一体に、中央の遮水突条２７が連続状態に突設されている。該中央の遮水突条２７は、本実施例においては、透明な硬質合成樹脂を以って、透明に形成され、上下に長い断面長方形状を呈しており、前記透明部１９を透かして視認できる。該中央の遮水突条２７の上端２９の高さは、前記導水路４の底面をなす流下面３７で受けられた前記漏水の水位が該上端２９を超えないように設定されている。本実施例においては該中央の遮水突条２７の高さを５〜１０ｍｍに、例えば６ｍｍに設定している。
【００３０】
かかる構成を有する漏水受板１を前記壁面３に取り付けるに先立って、図２に示すように、前記取付端部９，９の前記溝状凹部１６，１６に、合成ゴム弾性体等からなる前記止水材１５，１５を密接に嵌め込んで接着することにより、該止水材１５，１５を固定状態とする。
【００３１】
その後図２、図５に示すように、前記壁面３に発生している漏水部５を前記漏水受部７で覆うように前記漏水受板１を壁面３に取り付ける。その際、前記透明部１９を透視しながら、該透明部１９が該漏水部５の多くの部分を覆うように該漏水受板１の左右の止水材１５，１５を壁面３に当接させるのであるが、このとき、前記中央の遮水突条２７を前記漏水受部７の長手中央線を示す目印線として利用すると、漏水受板１の取り付け作業を正確且つ容易に行うことができる。
【００３２】
この状態で、前記挿通孔１７を挿通し且つ前記止水材１５を貫通したドリルで前記壁面３に削孔してアンカー孔３０を形成する。そして、該アンカー孔３０に打入されて該壁面３に植設されたアンカーボルト３１のネジ軸部３２を、前記止水材１５と前記基片１１の挿通孔１７に貫通させると共に、該ネジ軸部３２に座金３３を嵌めてナット３５を螺締する。これにより、図２に示すように漏水受板１が、前記止水材１５，１５を介して該壁面３に水密に取り付けられ、前記漏水部５からの漏水を受けて導水する前記導水路４が漏水受部７と壁面３との間で形成されてなる導水装置３６が構成される。該導水路４の底面をなす流下面３７は、前記漏水部５からの漏水を受け、これを、両側の取付端部９，９から漏洩させることなく確実に導水して排水させることができる。
【００３３】
そして、前記漏水受部７の幅方向中央部分に設けられている前記透明部１９は、図６に示すような、前記壁面３の漏水部５で成長した遊離石灰の塊２２や該壁面３の一部分で剥落した剥落片２３等による導水路４の詰まり状態、漏水部５の拡大状態、漏水部５の漏水量、壁面３の剥落の進行状態等の導水路４の内部状態を、前記漏水受板１を取り外すことなく外部から容易に目視観察可能とする。そして、これらの内部状態の観察情報に基づき、漏水受板１を取り外して遊離石灰の塊２２や剥落片２３等を除去して漏水受板を取り替えたり、壁面を補強したりする等の必要な処置を施す。
【００３４】
又、漏水に含まれている遊離石灰や鉄分等の不純物の付着によって前記透明部１９の透明度が徐々に低下していくのはやむを得ないことであるが、前記中央の遮水突条２７は、該透明部１９が一様に汚れるのを防止し、導水路４の内部状態を確認可能な程度の透明度を極力長く維持させる。
【００３５】
これをより具体的に説明すれば、前記導水路４は、図７に示すように、前記中央の遮水突条２７を境にして左の分割水路３９ａと右の分割水路３９ｂに分割されるため、前記漏水部５からの漏水が、図７（Ａ）（Ｂ）に示すように、該左右の分割水路３９ａ，３９ｂに流入して両分割水路を略同じ水深で或いは異なる水深で流れることの他、図７（Ｃ）に示すように、該左の分割水路３９ａにのみ流入したとすれば、該漏水は、左の分割水路３９ａを流下することになり右の分割水路３９ｂを流下することはない。逆に図７（Ｄ）に示すように、前記漏水部５からの漏水が前記右の分割水路３９ｂにのみ流入したとすれば、該漏水は、右の分割水路３９ｂを流下することになり左の分割水路３９ａを流下することはない。このように漏水部５からの漏水は、左右の分割水路３９ａ，３９ｂを同時に流下することの他、左の分割水路３９ａや右の分割水路３９ｂに規制されて流下することもある。かかることから、前記中央の遮水突条２７は、漏水受部７の透明部１９が一様に汚れるのを防止し、該透明部１９の、導水路４の内部状態を確認可能な程度の透明度を、部分的なものとはなっても、極力長く維持させることができるのである。透視可能部分が透明部１９の幅方向の一部分だけとなっても、この一部分での目視観察によって導水路４の内部状態の全体を推測することが可能である。
【００３６】
そして本実施例においては、前記漏水受部７は、前記透明部１９の両側部分が不透明部２０，２０に形成されているために、図６に示すように、前記漏水部５で成長した遊離石灰の塊２２や該壁面の一部分で剥落した剥落片２３等によって導水路４に詰まり状態が発生した場合、該導水路４の両側部分に存するものは目視され難い状態となる。これによって、ずい道や地下道等の構造物の美観を極力損なわないようになし得るだけでなく、詰まり物が落下してくるような不安感を緩和できる。
【００３７】
図８〜９は、前記漏水受板１の前記透明部１９の内表面２５の長手中央線に沿って中央の遮水突条２７が連続状態に突設されると共に、該透明部１９の内表面２５の両側縁部４１，４１に沿って側部の遮水突条４２，４２が連続状態に突設されてなる漏水受板１を示すものであり、前記導水路４が４つの分割水路３９，３９，３９，３９に分割されるように構成されている。本実施例においては、前記中央の遮水突条２７は透明に形成され、上下に長い断面長方形状を呈しており、前記透明部１９を透かして視認できる。又前記側部の遮水突条４２，４２は、前記透明部１９の側縁部４１，４１の外側に、即ち前記不透明部２０，２０で突設され、不透明に形成され、上下に長い断面長方形状を呈している。そして、該中央の遮水突条２７の高さ及び該側部の遮水突条４２，４２の高さは、前記導水路４の底面をなす流下面３７で受けられた漏水の水位が該中央の遮水突条２７の上端２９や側部の遮水突条４２，４２の上端４４，４４を超えないように、５〜１０ｍｍ、例えば６ｍｍの高さに設定されている。図８は、かかる構成を有する漏水受板１を壁面３に取り付けて構成された導水装置３６を示すものである。
【００３８】
漏水部５における漏水は、壁面３を伝い流れて該漏水部５の周辺で滴下することや、拡大した漏水部の先側部分で滴下することもあるが、前記側部の遮水突条４２，４２が突設されてなる前記漏水受板１によるときは、該周辺で滴下する漏水や該先側部分で滴下する漏水を側方の分割水路３９ｃに流入させることができるため、滴下した漏水の流下を分割水路でより細かく規制できることになる。このようなことから本実施例に係る漏水受板１は、中央の遮水突条２７だけが設けられてなる前記漏水受板１に比し、透明部１９の必要な透明状態（導水路４の内部を確認可能な程度の透明状態）をより長く維持させることができる。
【００３９】
図１０〜１１は、全体が平板状に形成された漏水受板１を示すものであり、漏水受部７の幅方向中央部分の、該漏水受部７の幅に対する２割幅以上の部分が、該漏水受部７の長さ方向に延長する透明部１９として形成されており、該透明部１９の両側に存する部分は不透明部２０，２０に形成されている。本実施例においては、該漏水受部７の幅が３００ｍｍに設定され、該透明部１９の幅は１００ｍｍに設定されており、該漏水受部７の幅に対する透明部１９の幅は約３割８分とされている。
【００４０】
又前記透明部１９の、前記壁面３に臨む内表面２５の長手中央線に沿って中央の遮水突条２７が連続状態に突設されている。該中央の遮水突条２７は、本実施例においては透明に形成され、上下に長い断面長方形状を呈しており、前記透明部１９を透かして視認できる。該中央の遮水突条２７の上端２９の高さは、前記導水路４の底面をなす流下面３７で受けられた前記漏水の水位が該上端２９を超えないように設定されている。本実施例においては該中央の遮水突条２７の高さを５〜１０ｍｍに、例えば６ｍｍに設定している。
【００４１】
図１０は、かかる構成を有する漏水受板１を前記壁面３に取り付けた状態を示すものであり、該漏水受板１の両側の取付端部９，９が、前記壁面３に所要間隔を置いて平行状態に固定された、断面Ｓ字状を呈する固定具４５，４５の左右対向する挿入溝４６，４６に挿入されることによって、前記漏水部５からの漏水を受けて導水する導水路４が該漏水受板１と前記壁面３との間で形成されてなる導水装置３６が構成される。そして該導水路４は、前記中央の遮水突条２７を境にして左右の分割水路３９ａ，３９ｂに分割される。又該固定具４５は、その内面側に設けられた止水材４７が前記壁面３に水密に圧接された状態で、該壁面３に植設されたアンカーボルト４９のネジ軸部５０が該止水材４７と前記固定具４５と前記取付端部９に貫通せしめられ、且つ該ネジ軸部５０に座金５１を介してナット５２が螺合され、該ナット５２が螺締されることよって、該取付端部９と共に前記壁面３に水密に固定される。
【００４２】
図１２〜１３は、該透明部１９の内表面２５の長手中央線に沿って中央の遮水突条２７が連続状態に突設されると共に、該透明部１９の内表面２５の両側縁部４１，４１に沿って側部の遮水突条４２，４２が連続状態に突設されてなる漏水受板１を示すものであり、前記導水路４が４つの分割水路３９，３９，３９，３９に分割されるように構成されている。本実施例においては、前記中央の遮水突条２７は透明に形成され、上下に長い断面長方形状を呈しており、前記透明部１９を透かして視認できる。又前記側部の遮水突条４２，４２は、前記透明部１９の側縁部４１，４１の外側に、即ち前記不透明部２０で突設され、不透明に形成され、上下に長い断面長方形状を呈している。そして該中央の遮水突条２７の高さ及び該側部の遮水突条４２，４２の高さは、前記導水路４の底面をなす流下面３７で受けられた漏水の水位が該中央の遮水突条２７の上端２９や側部の遮水突条４２，４２の上端４３，４３を超えないように、５〜１０ｍｍに、例えば６ｍｍの高さに設定されている。かかる構成の漏水受板１も前記と同様にして、所要間隔を置いて平行状態に壁面３に固定された固定具４５，４５の対向する挿入溝４６，４６に挿入されることによって、前記と同様にして導水路４が形成されてなる導水装置３６が構成される。
【００４３】
かかる構成を有する漏水受板１を用いる導水装置３６によるときも、前記中央の遮水突条２７や側部の遮水突条４２，４２によって導水路４が複数の分割水路３９，３９，３９，３９に分割されることから、滴下した漏水の流下を分割水路でより細かく規制できることになる。かかることから本実施例に係る漏水受板１は、中央の遮水突条２７だけが設けられてなる前記漏水受板１に比し、透明部１９の必要な透明状態（導水路４の内部の状態を確認可能な程度の透明状態）をより長く維持させることができる。
【００４４】
なお、全体が平板状に形成された図１０〜１１や図１２〜１３に示す漏水受板１にあっても、前記透明部１９の内表面２５及び外表面２６にフッ素樹脂やシリコン樹脂等の撥水性樹脂を塗布することによって撥水表面処理を施すのがよい。
【実施例２】
【００４５】
本発明は、前記実施例で示したものに限定されるものでは決してなく、「特許請求の範囲」の記載内で種々の設計変更が可能であることはいうまでもない。その一例を挙げれば次のようである。
【００４６】
(1) 本発明の漏水受板１において、前記漏水受部７の幅に対する前記透明部１９の幅の割合は、前記漏水受板１を壁面３に取り付けることによって形成される導水路４の内部を外部から目視観察するのに支障がないように２割以上に設定するのがよい。必要であれば、漏水受部７の全体を透明部として形成することもできる。
【００４７】
このような目視観察を可能とすることに加えて、透明部１９の両側に存する部分を不透明部２０，２０として、導水路４の内部の両側部分を目隠しするように構成する場合は、２割〜８割に、好ましくは３割〜７割に設定するのがよい。
【００４８】
かかる両方の機能を具える漏水受板１の透明部１９の幅Ｌを例示すれば、漏水受部７の幅が２００ｍｍの場合は透明部１９の幅Ｌを４０〜１６０ｍｍに設定し、好ましくは６０〜１４０ｍｍに、例えば図１４（Ａ）に示すように８０ｍｍに設定する。又、漏水受部７の幅が３００ｍｍの場合は透明部１９の幅Ｌを６０〜２４０ｍｍに設定し、好ましくは９０〜２１０ｍｍに、例えば図１４（Ｂ）に示すように１００ｍｍに設定する。又、漏水受部７の幅が４００ｍｍの場合は透明部１９の幅Ｌを８０〜３２０ｍｍに設定し、好ましくは１２０〜２８０ｍｍに、例えば図１４（Ｃ）に示すように１５０ｍｍに設定する。又、漏水受部７の幅が５００ｍｍの場合は透明部１９の幅Ｌを１００〜４００ｍｍに設定し、好ましくは１５０〜３５０ｍｍに、例えば図１４（Ｄ）に示すように２００ｍｍに設定する。
【００４９】
かかる幅を有する漏水受板１の使用上の選択に際しては、壁面３における漏水部５の拡がり状態や剥落部分の拡がり状態に合わせて、該漏水部や該剥落部分の全体を覆うことができる所要幅のものを選択する。そして、該漏水部５の拡がり状態や剥落部分の拡がり状態によっては、図１５〜１６に示すように、所要幅の漏水受板１を屈曲状態や枝分かれ状態にして壁面３に取り付けることもある。
【００５０】
(2) 前記中央の遮水突条２７や前記側部の遮水突条４２，４２は、前記漏水受部７と一体に成形されることの他、接着や溶着等の手段で後付けされることもある。
【００５１】
(3) 前記漏水受板１の左右の取付端部９，９の、前記壁面３に対する固定手段は、水密を確保して固定できる手段であれば、前記の他、図１７（Ａ）（Ｂ）に示す固定手段等各種に構成され得る。ここに、図１７（Ａ）に示す固定手段は、壁面３に所要間隔を置いて平行状態に水密を確保して固定された固定具５５，５５の左右対向する挿入溝５６，５６に、漏水受板１の両側の取付端部９，９を水密に挿入してなるものである。また図１７（Ｂ）に示す固定手段は、壁面３に所要間隔を置いて平行状態に水密を確保して固定された固定具５７，５７の左右対向する挿入溝５９，５９に漏水受板１の両側の取付端部９，９を挿入状態にすると共に、内外の挾持片部６０，６１間で該取付端部９を挾持することによって該取付端部９を水密に固定してなるものである。
【００５２】
(4) 図１８（Ａ）（Ｂ）は、本発明に係る漏水受板１のその他の実施例を示すものであり、透明部１９の長手中央線の両側に所要間隔を隔てて、例えば５０ｍｍの間隔を隔てて、２本の中央の遮水突条２７，２７が突設されている。この場合は、導水路４が該２本の中央の遮水突条２７，２７によって３つの分割水路３９，３９，３９に分割されることになり、透明部１９の必要な透明度をより長く確保できることになる。又図１９は、該実施例において更に、透明部１９の両側縁部４１，４１に沿って側部の遮水突条４２，４２を連続状態に突設してなる漏水受板１を示すものである。
【００５３】
(5) 図２０は、本発明に係る漏水受板１のその他の実施例を示すものであり、中央の遮水突条２７と側部の遮水突条４２，４２が設けられてなる図８や図１２に示されているような漏水受板１において、前記中央の遮水突条２７が省略されている。
【００５４】
(6) 前記中央の遮水突条２７や前記側部の遮水突条４２は、前記実施例においては断面長方形状に形成されているが、分割水路３９に流入した漏水の流れ状態を規制できるものであれば、断面正方形状や断面三角形状等の他の断面形状に形成されることもある。
【００５５】
(7) 前記中央の遮水突条２７は、透明部１９の透視による導水路４の内部の確認を容易化する上では透明に形成するのが好ましいが、前記導水路４の内部の目視観察に支障がない場合は不透明に形成されることもある。又、前記側部の遮水突条４２は透明に形成されることもある。
【００５６】
(8) 前記透明部１９の内表面２５の両側縁部４１，４１に沿って側部の遮水突条４２，４２を連続状態に突設する場合、図２１に示すように、該側部の遮水突条４２，４２を透明樹脂部５３と不透明樹脂部５４の合体によって形成すると、漏水受部７における透明樹脂部５３と不透明樹脂部５４の接合部５５の強度アップが図られて好ましい。
【００５７】
(9) 図２２（Ａ）（Ｂ）は、本発明に係る漏水受板１のその他の実施例を示すものであり、漏水受部７の両側に、構造物のコンクリート壁面３に取り付く取付端部９，９が設けられてなる漏水受板本体８の全体が、透明な硬質合成樹脂を用いて構成されている。そして、該漏水受部７の幅方向中央部分が、透明のまま残されて透明部１９とされると共に、該透明部１９の両側に存する部分は、その外表面６６が不透明に塗装されることによって（塗装部分を太線で示し符号６５を付している）不透明部２０とされている。該不透明部２０は、前記取付端部９，９を含めて形成してもよいのであるが、本実施例においては該取付端部９，９を除いて形成している。そして、前記透明部１９の、前記壁面３に臨む内表面２５の例えば長手中央線に沿って、中央の遮水突条２７が連続状態に突設されている。本実施例において、遮水突条（中央の遮水突条２７や側部の遮水突条４２）の本数や突設位置は、前記と同様にして適宜変更してよい。又、図２３（Ａ）に示すように、前記透明部１９の両側に存する部分の内表面６９を不透明に塗装することによって、或いは図２３（Ｂ）に示すように、前記外表面６６と該内表面６９の双方を不透明に塗装することによって前記不透明部２０を形成してもよい。
【００５８】
このように不透明に塗装することによって不透明部３５を形成する漏水受板１の構成は、例えば前記した図１０に示すような、前記外板５と内板６の双方を平板状に形成してなる漏水受板に対しても応用され得る。
【図面の簡単な説明】
【００５９】
【図１】本発明に係る漏水受板を用いて構成された導水装置を示す斜視図である。
【図２】その導水装置を示す断面図である。
【図３】その導水装置を構成する漏水受板を示す斜視図である。
【図４】その導水装置を構成する漏水受板を示す斜視図である。
【図５】漏水受板を壁面に取り付けた状態を示す正面図である。
【図６】導水路における遊離石灰の塊や剥落片の詰まり状態を示す断面図である。
【図７】中央の遮水突条によって分割された左右の分割水路における漏水の流下状態を示す断面図である。
【図８】中央の遮水突条と側部の遮水突条を具える漏水受板を用いて構成された導水装置を示す断面図である。
【図９】その導水装置を構成する漏水受板を示す斜視図である。
【図１０】平板状に形成された漏水受板を用いて構成された導水装置を示す断面図である。
【図１１】その導水装置を構成する漏水受板を示す斜視図である。
【図１２】中央の遮水突条と側部の遮水突条を具える平板状を呈する漏水受板を用いて構成された導水装置を示す断面図である。
【図１３】その導水装置を構成する漏水受板を示す斜視図である。
【図１４】漏水を受ける幅の異なる漏水受板を示す断面図である。
【図１５】壁面に対する漏水受板の他の取付状態を示す正面図である。
【図１６】壁面に対する漏水受板のその他の取付状態を示す正面図である。
【図１７】壁面に対する漏水受板のその他の取付状態を示す正面図である。
【図１８】透明部の両側に中央の遮水突条が設けられた漏水受板を示す断面図である。
【図１９】更に、透明部の両側縁部に沿って側部の遮水突条が設けられた漏水受板を示す断面図である。
【図２０】透明部の両側縁部に沿って側部の遮水突条が設けられた漏水受板を示す断面図である。
【図２１】側部の遮水突条の他の態様を示す断面図である。
【図２２】不透明塗装によって不透明部が形成されてなる漏水受板を示す断面図である。
【図２３】不透明塗装によって不透明部が形成されてなる漏水受板の他の態様を示す断面図である。
【図２４】従来の導水装置を説明する断面図である。
【符号の説明】
【００６０】
１  漏水受板
２  構造物
３  コンクリート壁面
４  導水路
５  漏水部
７  漏水受部
８  漏水受板本体
９  取付端部
１９  透明部
２０  不透明部
２５  透明部の内表面
２６  透明部の外表面
２７  中央の遮水突条
２９  上端
３６  導水装置
３９  分割水路
４２  側部の遮水突条
４５  固定具
６６  外表面
６９  内表面
【図１】
2008019705.tif 000003
【図２】
2008019705.tif 000004
【図３】
2008019705.tif 000005
【図４】
2008019705.tif 000006
【図５】
2008019705.tif 000007
【図６】
2008019705.tif 000008
【図７】
2008019705.tif 000009
【図８】
2008019705.tif 000010
【図９】
2008019705.tif 000011
【図１０】
2008019705.tif 000012
【図１１】
2008019705.tif 000013
【図１２】
2008019705.tif 000014
【図１３】
2008019705.tif 000015
【図１４】
2008019705.tif 000016
【図１５】
2008019705.tif 000017
【図１６】
2008019705.tif 000018
【図１７】
2008019705.tif 000019
【図１８】
2008019705.tif 000020
【図１９】
2008019705.tif 000021
【図２０】
2008019705.tif 000022
【図２１】
2008019705.tif 000023
【図２２】
2008019705.tif 000024
【図２３】
2008019705.tif 000025
【図２４】
2008019705.tif 000026